(57)【要約】【課題】  光伝送システムにおける光伝送路の伝送路ロス（スパンロス）を、容易にかつリアルタイムで正確に知ることを可能とする。【解決手段】  互いに対向する光伝送装置１，２や２，３間のスパンロスを調整するための情報を表示するためのスパンロス表示部２０を、これら光伝送装置の一つに接続する。このスパンロス表示部２０に、一つの光伝送装置の送信レベル情報または受信レベル情報を表示すると共に、他方の光伝送装置から送信レベル情報または受信レベル情報を受けて表示する。また、スパンロス表示部２０において、これら情報の差を算出してスパンロスとして表示する。【選択図】      図１
2008078841.tif 000002
【特許請求の範囲】
【請求項１】
互いに対向する光伝送装置間の伝送路ロスを調整するための情報を表示するための表示装置であって、
前記光伝送装置の一つに接続されて、この一つの光伝送装置の送信レベル情報または受信レベル情報を表示すると共に、他方の光伝送装置から送信レベル情報または受信レベル情報を受けて表示することを特徴とする表示装置。
【請求項２】
前記送信レベル情報及び前記受信レベル情報を基に前記伝送路ロスを算出して表示することを特徴とする請求項１記載の表示装置。
【請求項３】
前記光伝送装置間の監視系信号を通信するための光信号を用いて、前記他方の光伝送装置から送信レベル情報または受信レベル情報を受けることを特徴とする請求項１または２記載の表示装置。
【請求項４】
互いに対向する光伝送装置間の伝送路ロスを調整するための情報を表示する方法であって、
前記光伝送装置の一つに表示装置を接続するステップと、
前記表示装置において、この一つの光伝送装置の送信レベル情報または受信レベル情報を表示すると共に、他方の光伝送装置から送信レベル情報または受信レベル情報を受けて表示するステップと、
を含むことを特徴とする表示方法。
【請求項５】
更に、前記送信レベル情報及び前記受信レベル情報を基に前記伝送路ロスを算出して表示するステップを含むことを特徴とする請求項４記載の表示方法。
【請求項６】
前記表示装置において、前記光伝送装置間の監視系信号を通信するための光信号を用いて、前記他方の光伝送装置から送信レベル情報または受信レベル情報を受けるステップを含むことを特徴とする請求項４または５記載の表示方法。
【発明の詳細な説明】
【技術分野】
【０００１】
本発明は伝送路ロス表示装置及びその表示方法に関し、特に互いに対向する光伝送装置間の伝送路ロスを調整するための情報を表示するための表示方式に関するものである。
【背景技術】
【０００２】
光伝送装置においては、受信側の光レベルの許容範囲内に光レベルを調整する必要がある。例えば、光伝送路のロスが少ない場合には、受信側の光レベル許容範囲内に光レベルが入りきれずに、当該許容範囲の上限を超えることがあり、この様な場合、光減衰器などを用いて、受信側の光入力レベルを、当該許容範囲内になるように低下させることが必要になる。
【０００３】
更に述べると、光アンプのダイナミックレンジ（入力許容範囲）は広いものではなく、狭いのが一般的であり、また、光伝送路には伝送路損失（スパンロス）がある。そして、光アンプの入力レベルは、この光アンプのダイナミックレンジ内に入っていることが必要である。従って、光伝送システムの設計に際しては、このスパンロスを考慮して、受信側の光アンプのダイナミックレンジ内に、入力光レベルを入れることが要求される。
【０００４】
このとき、スパンロスが事前に判っていれば問題はないが、事前に判っていない場合には、スパンロスを推定して設計することになるが、このとき、ある程度マージンを持たせて、すなわち、スパンロスをある程度大きく見積って設計することになる。従って、実際のシステム構築では、スパンロスはそれよりも小さくなる傾向にあるので、現地調整の際には、光レベルを確認して、スパンロスを適切な値に調整することが必要になる。一般には、光減衰器を用いて、スパンロスを大きくして、受信側での光レベルを低下させて、受信光アンプのダイナミックレンジ（入力許容範囲）内に入れる、スパンロス調整が行われる。
【０００５】
特に、ＷＤＭ（Wavelength Division Multiplexing）伝送装置においては、光波長の多重数に応じて送受信レベルが変動するので、システムにおいて許容可能な伝送路のスパンロスの範囲に光レベルを調整することは極めて重要となる。
【０００６】
従来のスパンロス調整では、送信側の光レベルと受信側の光レベルとをそれぞれ測定し、その差分を伝送路のスパンロスとして計算し、こうして計算されたスパンロスが、システムで許容される範囲外であれば、光減衰器などを用いてスパンロス調整を行うようになっている。
【０００７】
ここで、特許文献１を参照すると、光信号の入力レベルを自動調整するために、雑音入力光（ＡＳＥ）を利用して下流の光アンプの入力に設けられている可変減衰器を自動調整する技術が開示されている。また、特許文献２を参照すると、ＷＤＭ通信システムにおいて、光パワーの変動による信号エラーを回避するために、光アンプの入出力レベル及び、主信号とは別の監視信号（上流送信パワー情報）を用いて、光アンプのゲイン調整をなす技術が開示されている。
【０００８】
【特許文献１】特開２００５−２０４０２６号公報
【特許文献２】特開平１１−２６１４９０号公報
【発明の開示】
【発明が解決しようとする課題】
【０００９】
従来のスパンロス調整では、対向する２台の光伝送装置間の光ファイバのスパンロスを確認するために、対向の光送信パワーと受信光パワーとを、測定器でそれぞれ測定し、その差分をパワーロスとする必要があるために、対向する両側の局舎へオペレータが入局して、それぞれの光レベルの確認を行うことが必要になり、極めて煩雑であるという欠点がある。また、ＷＤＭ伝送システムでは、上述した如く、光波長の多重数に応じて送受信レベルが変動するので、スパンロスを測定して、スパンロスを正しく調整することは極めて重要である。よって、スパンロスを正確にかつ容易に測定することが要求されている。
【００１０】
なお、上記の特許文献１，２の技術は、光レベルの自動調整技術であり、スパンロスの調整技術でもなく、またスパンロスを測定する技術でもない。
【００１１】
本発明の目的は、光伝送システムにおける光ファイバのスパンロスを容易にかつリアルタイムで正確に知ることができるスパンロス表示装置及びその表示方法を提供することである。
【課題を解決するための手段】
【００１２】
本発明による表示装置は、互いに対向する光伝送装置間の伝送路ロスを調整するための情報を表示するための表示装置であって、前記光伝送装置の一つに接続されて、この一つの光伝送装置の送信レベル情報または受信レベル情報を表示すると共に、他方の光伝送装置から送信レベル情報または受信レベル情報を受けて表示することを特徴とする。更に、前記送信レベル情報及び前記受信レベル情報を基に前記伝送路ロスを算出して表示することを特徴とする。
【００１３】
本発明による表示方法は、互いに対向する光伝送装置間の伝送路ロスを調整するための情報を表示する方法であって、前記光伝送装置の一つに表示装置を接続するステップと、前記表示装置において、この一つの光伝送装置の送信レベル情報または受信レベル情報を表示すると共に、他方の光伝送装置から送信レベル情報または受信レベル情報を受けて表示するステップとを含むことを特徴とする。更に、前記表示装置において、前記送信レベル情報及び前記受信レベル情報を基に前記伝送路ロスを算出して表示するステップを含むことを特徴とする。
【発明の効果】
【００１４】
本発明によれば、光伝送区間のスパンロスをリアルタイムにモニタすることが可能になるという効果がある。
【発明を実施するための最良の形態】
【００１５】
以下に、本発明の実施の形態について図面を用いて説明する。図１は本発明の実施の形態を示す概略ブロック図である。図１の例においては、ＷＤＭ伝送システムを示すが、ＷＤＭ伝送システムに限定されるものではないことは勿論である。
【００１６】
図１を参照すると、伝送装置１はＷＤＭ送信装置であり、伝送装置２はＷＤＭ中継装置であり、伝送装置３はＷＤＭ受信装置である。これら伝送装置間は光ファイバ４〜７による光伝送路によって接続されている。伝送装置１は、複数の送信側トランスポンダ１０１と、波長多重部１０２と、送信光アンプ１０３と、送信レベルモニタ部１０４と、受信レベルモニタ部１０５と、受信光アンプ１０６と、波長分離部１０７と、複数の受信側トランスポンダ１０８とを有している。
【００１７】
送信側トランスポンダ１０１は、入力信号をＷＤＭに必要な波長に変換するものであり、波長多重部１０２は、トランスポンダ１０１の複数の光信号を波長多重するものである。送信光アンプ１０３は、この多重された信号を一括増幅して、対向装置２へ光ファイバ４を介して送信するものである。送信レベルモニタ部１０４は対向装置２へ出力される信号のレベルをモニタするものである。
【００１８】
受信レベルモニタ部１０５は、対向装置２から伝送路である光ファイバ６を通過して本装置１へ入力される光信号のレベルをモニタするものである。受信光アンプ１０６は、受信した光信号を増幅するものであり、波長分離部１０７は、受信光アンプ１０６により増幅された信号から波長分離するものである。トランスポンダ１０８は、これら分離された信号を元の信号に戻すものである。
【００１９】
伝送装置２は光中継機能を有しており、受信レベルモニタ部２０１，２０４と、光アンプ２０２，２０５と、送信レベルモニタ部２０３，２０６とを有している。受信レベルモニタ部２０１は、光ファイバ４を介して本装置２へ入力される光信号のレベルをモニタするものであり、光アンプ２０２は、光ファイバ４を介して入力される光信号を増幅する中継アンプである。送信レベルモニタ部２０３は、対向装置３へ出力される光信号レベルをモニタするものである。
【００２０】
受信レベルモニタ部２０４は、光ファイバ７を介して本装置へ入力される光信号のレベルをモニタするものであり、光アンプ２０５は、光ファイバ７を介して入力される光信号を増幅する中継アンプである。送信レベルモニタ部２０６は、対向装置１へ出力される光信号レベルをモニタするものである。
【００２１】
伝送装置３は、受信レベルモニタ部３０５と、受信光アンプ３０６と、波長分離部３０７と、複数の受信側トランスポンダ３０８と、複数の送信側トランスポンダ３０１と、波長多重部３０２と、送信光アンプ３０３と、送信レベルモニタ部３０４とを有している。この伝送装置３の各部は、先述した伝送装置１の各部と同一機能を有しているために、説明は省略する。
【００２２】
更に、図１の例においては、スパンロス表示部２０が設けられており、このスパンロス表示部２０は、伝送装置２のシリアルポートやＬＡＮポート２２により、当該伝送装置２に直接シリアル（ＲＳ−２３２Ｃ）ケーブルやＬＡＮケーブルにて接続されるようになっている。なお、伝送装置１や３にも、このスパンロス表示部２０を接続するためのポート１２や３２がそれぞれ設けられているものとする。
【００２３】
ここで、伝送装置１と２との間には、主信号とは別の波長を用いた監視系の信号を通信するための周知の光信号（ＯＳＣ）路１２が設けられており、スパンロス表示部２０は、この監視系の信号を用いて、対向装置１の送信レベルモニタ部１０４のモニタレベルと、本装置２の受信レベルモニタ部２０１のモニタレベルとを、ポート２２を介して取り込んで、表示画面上に表示することができるようになっている。また、両モニタレベルの差を算出して、光ファイバ４の伝送路のスパンロスを表示画面上に表示することができるようにもなっている。
【００２４】
従って、このスパンロス表示部２０は、伝送装置１の送信レベルと伝送装置２の送信レベルとを、同時に読みとって表示すると共に、両装置間のスパンロスをもリアルタイムに表示することが可能となる。このスパンロス表示部２０の表示内容を確認しつつ、オペレータ（調整者）は、伝送路である光ファイバ４に挿入されている光減衰器（光アッテネータ：ＡＴＴ）８を用いて、この光ファイバ４のスパンロスを予め決められた許容範囲に入るように調整することになる。
【００２５】
光ファイバ７のスパンロスに関しては、特に図示しないが、同様に監視系の信号を用いて得られた、対向装置３の送信レベルモニタ部３０４のモニタレベルと、本装置２の受信レベルモニタ部２０４のモニタレベルとを取り込んで表示し、またスパンロスをも表示することができる。この表示内容に基づいて、調整者は光ファイバ７に挿入されているＡＴＴ１０を用いて、スパンロスの調整が可能となる。
【００２６】
光ファイバ６のスパンロスに関しては、スパンロス表示部２０を伝送装置１のポート１２に接続して、図示しない監視系の信号を用いて得られた、対向装置２の送信レベルモニタ部２０６のモニタレベルと、本装置１の受信レベルモニタ部１０５のモニタレベルとにより、ＡＴＴ１１を用いて調整可能となる。また、光ファイバ５のスパンロスに関しても、スパンロス表示部２０を伝送装置３のポート３２に接続して、ＡＴＴ９を用いることにより調整可能である。
【００２７】
光ファイバ４のスパンロス調整の他の方法として、スパンロス表示部２０を伝送装置１に接続して、対向装置２の受信レベルモニタ部２０１のモニタ出力と、本装置１の送信レベルモニタ部１０４のモニタ出力とを取り込むようにし、そしてＡＴＴ８を伝送装置１の出力部に接続しておき、スパンロス表示部２０の表示内容に基づいて、当該ＡＴＴ８を調整してスパンロス調整を行うことができる。
【００２８】
光ファイバ５のスパンロスについても、スパンロス表示部２０を伝送装置２に接続し、ＡＴＴ９をこの伝送装置２の出力部に接続することにより、調整することができる。光ファイバ６のスパンロスについても、スパンロス表示部２０を伝送装置２に接続し、ＡＴＴ１１をこの伝送装置２の出力部に接続することにより、調整することができる。光ファイバ７のスパンロスについても、スパンロス表示部２０を伝送装置３に接続し、ＡＴＴ１０をこの伝送装置３の出力部に接続することにより調整することができる。
【図面の簡単な説明】
【００２９】
【図１】本発明の実施の形態を適用した光伝送システムの概略機能ブロック図である。
【符号の説明】
【００３０】
１〜３  光伝送装置
４〜７  光ファイバ
８〜１１  ＡＴＴ（光アッテネータ）
１２，２２，３２  ポート
２０  スパンロス表示部
１０１，１０８，３０１，３０８  トランスポンダ
１０２，３０２  波長多重部
１０３，１０６，２０２，２０５，
３０３，３０６                    光アンプ
１０４，２０３，２０６，３０４  送信レベルモニタ部
１０５，２０１，２０４，３０５  受信レベルモニタ部
１０７，３０７  波長分離部
【図１】
2008078841.tif 000003